【手続補正書】
【提出日】平成19年1月24日(2007.1.24)
【手続補正１】
【補正対象書類名】明細書
【補正対象項目名】発明の名称
【補正方法】変更
【補正の内容】
【発明の名称】光学式エンコーダ
【手続補正２】
【補正対象書類名】明細書
【補正対象項目名】特許請求の範囲
【補正方法】変更
【補正の内容】
【特許請求の範囲】
【請求項１】  光源手段と、該光源手段に対向配置された反射手段と、該反射手段からの反射光束を受光する受光手段とを具備し、前記反射手段は、前記光源手段からの発散性光束が２回以上の反射を繰り返すための複数の分割された波面を有し、該波面により分割された各光束を前記受光手段に重ね合わせる光学系を有することを特徴とする光学式エンコーダ。
【請求項２】  前記光源手段は複数の発光領域を有する電流狭窄型のＬＥＤとし、前記受光手段は複数の受光窓を持つ光電変換素子及び信号増幅手段、電気分割内挿手段、前記光源手段の光量補償回路が一体的に集積化されていることを特徴とする請求項１に記載の光学式エンコーダ。
【請求項３】  前記光源手段の発光面と前記反射手段の反射面までの空気換算光路長をｇＬ、前記受光手段の受光面位置と前記反射手段の反射面までの実質的な空気換算光路長をｇＰ、前記光源手段の複数の発光領域の間隔をＰ２、前記受光手段の複数の光電変換素子の基本ピッチをＰ２、前記反射手段のピッチをＰ１、前記光源手段から出射する光束の出力ピーク値の中心波長又は分光分布を積分したときの中央値の波長をλとしたとき、
Ｐ２＝２・Ｐ１
ｇＰ＝ｇＬ＝２・ｎ・Ｐ１2／λ
の関係において、ｎ＜１の範囲で決定される前記空気換算光路長ｇＬ、ｇＰにギャップ設定すると共に、前記受光手段の受光光量のピーク位置を前記範囲に合致させたことを特徴とする請求項２に記載の光学式エンコーダ。
【請求項４】  前記光源手段の発光領域と実質的な前記反射手段の反射面までの空気換算光路長をｇＬとし、前記受光手段の受光面位置と前記反射手段の反射面までの空気換算光路長をｇＰ、前記光源手段の複数の発光領域の間隔をＰ２、前記発光手段の複数の光電変換素子の基本ピッチをＰ２、前記反射手段のピッチをＰ１、前記光源手段から出射する光束の出力ピーク値の中心波長又は分光分布を積分したときの中央値の波長をλとしたとき、
Ｐ２＝２・Ｐ１
ｇＰ＝ｇＬ＝２・ｎ・Ｐ１2／λ
の関係において、１．５＜ｎ＜２．５の範囲で決定される前記空気換算光路長ｇＬ、ｇＰにギャップ設定すると共に、前記受光手段の受光光量のピーク位置を前記範囲に合致させたことを特徴とする請求項２に記載の光学式エンコーダ。
【請求項５】  光源手段と、該光源手段に対向配置された反射手段と、該反射手段からの反射光束を受光する受光手段とを具備し、前記反射手段は、前記光源手段からの発散性光束が２回以上の反射を繰り返すための複数の分割された波面を有し、該波面により分割された各光束を任意の位置に重ね合わせる光学系を有すると共に、２つの反射面を角度を持たせて対向配置された複数個のルーフミラーと、一方向に配置されたマイクロルーフミラーアレイとから形成し、前記反射面を曲面としたことを特徴とする光学式エンコーダ。
【請求項６】  前記反射手段における反射領域は、透光性部材から成る内部全反射作用又は表面反射を用いることを特徴とする請求項５に記載の光学式エンコーダ。
【請求項７】  前記反射手段における反射領域は、金属鏡面反射を用いることを特徴とする請求項５又は６に記載の光学式エンコーダ。
【請求項８】  前記反射手段における反射領域は、透光性部材から成る内部全反射作用を用い、入射面側をシリンドリカル面としたことを特徴とする請求項５〜７の何れか１つの請求項に記載の光学式エンコーダ。
【請求項９】  請求項１〜８の何れか１つの請求項に記載の光学式エンコーダを用い、物体の有無又は移動情報を求めることを特徴とする光学機器。
【請求項１０】  請求項１〜９の何れか１つの請求項に記載の光学式エンコーダ又は光学機器をインクジェットプリンタの印字ヘッド移動位置検知用リニアエンコーダとして用いたことを特徴とするプリンタ装置。
【請求項１１】  請求項１〜９の何れか１つの請求項に記載の光学式エンコーダ又は光学機器をインクジェットプリンタの紙搬送量を検知するためのロータリエンコーダとして用いたことを特徴とするプリンタ装置。
【手続補正３】
【補正対象書類名】明細書
【補正対象項目名】０００１
【補正方法】変更
【補正の内容】
【０００１】
本発明は、移動物体の移動量や移動速度そして回転速度等の位置情報を反射面を用いて検出するようにした光学式エンコーダに関するものである。
【手続補正４】
【補正対象書類名】明細書
【補正対象項目名】００３０
【補正方法】変更
【補正の内容】
【００３０】
本発明は、上述の問題点を解消し、３格子型の原理に従い、特に反射式の構成によってギャップ特性の良好な光学式エンコーダを得ると共に、上述の技術課題である装置の小型化、低消費電力化を実現することを主たる目的とし、更にその解決手段は同時に機器への組み込みを容易とし、高分解能な位置検出を可能とし、その位置検出精度が高精度とすることなどを同時に満足する光学式エンコーダを提供することにある。
【手続補正５】
【補正対象書類名】明細書
【補正対象項目名】００３１
【補正方法】削除
【補正の内容】
【手続補正６】
【補正対象書類名】明細書
【補正対象項目名】００３２
【補正方法】変更
【補正の内容】
【００３２】
【課題を解決するための手段】
上記目的を達成するための本発明は、光源手段と、該光源手段に対向配置された反射手段と、該反射手段からの反射光束を受光する受光手段とを具備し、前記反射手段は、前記光源手段からの発散性光束が２回以上の反射を繰り返すための複数の分割された波面を有し、該波面により分割された各光束を前記受光手段に重ね合わせる光学系を有することを特徴とする光学式エンコーダである。
【手続補正７】
【補正対象書類名】明細書
【補正対象項目名】００３３
【補正方法】変更
【補正の内容】
【００３３】
また本発明は、光源手段と、該光源手段に対向配置された反射手段と、該反射手段からの反射光束を受光する受光手段とを具備し、前記反射手段は、前記光源手段からの発散性光束が２回以上の反射を繰り返すための複数の分割された波面を有し、該波面により分割された各光束を任意の位置に重ね合わせる光学系を有すると共に、２つの反射面を角度を持たせて対向配置された複数個のルーフミラーと、一方向に配置されたマイクロルーフミラーアレイとから形成し、前記反射面を曲面としたことを特徴とする光学式エンコーダである。
【手続補正８】
【補正対象書類名】明細書
【補正対象項目名】００３４
【補正方法】削除
【補正の内容】
【手続補正９】
【補正対象書類名】明細書
【補正対象項目名】００３５
【補正方法】削除
【補正の内容】
【手続補正１０】
【補正対象書類名】明細書
【補正対象項目名】００３６
【補正方法】削除
【補正の内容】
【手続補正１１】
【補正対象書類名】明細書
【補正対象項目名】００３７
【補正方法】削除
【補正の内容】
【手続補正１２】
【補正対象書類名】明細書
【補正対象項目名】００３８
【補正方法】削除
【補正の内容】
【手続補正１３】
【補正対象書類名】明細書
【補正対象項目名】００３９
【補正方法】削除
【補正の内容】
【手続補正１４】
【補正対象書類名】明細書
【補正対象項目名】００４０
【補正方法】削除
【補正の内容】
【手続補正１５】
【補正対象書類名】明細書
【補正対象項目名】００４１
【補正方法】削除
【補正の内容】
【手続補正１６】
【補正対象書類名】明細書
【補正対象項目名】００４２
【補正方法】削除
【補正の内容】
【手続補正１７】
【補正対象書類名】明細書
【補正対象項目名】００４３
【補正方法】削除
【補正の内容】
【手続補正１８】
【補正対象書類名】明細書
【補正対象項目名】００４４
【補正方法】削除
【補正の内容】
【手続補正１９】
【補正対象書類名】明細書
【補正対象項目名】００４５
【補正方法】削除
【補正の内容】
【手続補正２０】
【補正対象書類名】明細書
【補正対象項目名】００４６
【補正方法】削除
【補正の内容】
【手続補正２１】
【補正対象書類名】明細書
【補正対象項目名】００４７
【補正方法】削除
【補正の内容】
【手続補正２２】
【補正対象書類名】明細書
【補正対象項目名】００４８
【補正方法】削除
【補正の内容】
【手続補正２３】
【補正対象書類名】明細書
【補正対象項目名】００４９
【補正方法】削除
【補正の内容】
【手続補正２４】
【補正対象書類名】明細書
【補正対象項目名】００５０
【補正方法】削除
【補正の内容】
【手続補正２５】
【補正対象書類名】明細書
【補正対象項目名】００５１
【補正方法】削除
【補正の内容】
【手続補正２６】
【補正対象書類名】明細書
【補正対象項目名】００５２
【補正方法】削除
【補正の内容】
【手続補正２７】
【補正対象書類名】明細書
【補正対象項目名】００５３
【補正方法】削除
【補正の内容】
【手続補正２８】
【補正対象書類名】明細書
【補正対象項目名】０１５０
【補正方法】変更
【補正の内容】
【０１５０】
【発明の効果】
以上説明したように本発明に係る光学式エンコーダは、測定、観測対象となる反射体に設ける反射素子を適切に構成することにより、光源手段及び受光手段にレンズを用いなくても高い光伝達効率が得られ、また、反射体と受光手段間の相対的な位置ずれに対しても感度の鈍い特性となり、反射体の有無や移動状態を高精度に検出することができる。
【手続補正２９】
【補正対象書類名】明細書
【補正対象項目名】０１５１
【補正方法】削除
【補正の内容】
【手続補正３０】
【補正対象書類名】明細書
【補正対象項目名】０１５２
【補正方法】削除
【補正の内容】
【手続補正３１】
【補正対象書類名】明細書
【補正対象項目名】０１５３
【補正方法】変更
【補正の内容】
【０１５３】
また、インクジェットプリンタ等の各種情報機器、ビデオカメラ、カメラ等の光学機器等に本発明の光学式エンコーダを搭載することで装置全体の簡素化、小型化及び低消費電力化を図りながら、移動体の移動方向を含む変位情報を高精度に検出することが可能となる。